(57)【要約】【課題】保冷庫のスライド式のドアの閉扉操作を容易に行うこと。【解決手段】保冷庫のスライド式のドア１の開扉方向端部側に開扉用ハンドル５ａを、閉扉方向端部側に閉扉用ハンドル５ｂをそれぞれ設ける。開扉の際には、開扉用ハンドル５ａに手を差し入れて、この開扉用ハンドル５ａを手前側に引き、ドア１の開扉方向端部側を少し開放し、このドア１を開扉方向にスライドさせる。閉扉の際には、閉扉用ハンドル５ｂに手を差し入れて、この閉扉用ハンドル５ｂを閉扉方向に引いて、このドア１を閉扉方向にスライドさせる。開扉用ハンドル５ａよりも使用者の立ち位置に近い位置に閉扉用ハンドル５ｂを設けたので、ドア１の閉扉操作をスムーズに行うことができる。【選択図】図１
2014152989.tif 000002
【特許請求の範囲】
【請求項１】
スライド式のドア（１）を備えた保冷庫において、前記ドア（１）の開閉方向の異なる複数の位置に開閉ハンドル（５）を設けたことを特徴とする保冷庫。
【請求項２】
前記異なる複数の位置が、前記ドア（１）の開扉方向端部と閉扉方向端部の２箇所であることを特徴とする請求項１に記載の保冷庫。
【請求項３】
前記開閉ハンドル（５）が、前記ドア（１）をその厚み方向の内側にくり抜いて形成された凹部（６）と、この凹部（６）の開口縁に設けられる指掛け部（７）と、を備え、前記開扉方向端部側に設けた開閉ハンドル（５）が、前記凹部（６）に対して前記指掛け部（７）がドア（１）の開扉方向となるように構成された開扉用ハンドル（５ａ）であり、前記閉扉方向端部側に設けた開閉ハンドル（５）が、前記凹部（６）に対して前記指掛け部（７）がドア（１）の閉扉方向となるように構成された閉扉用ハンドル（５ｂ）であることを特徴とする請求項２に記載の保冷庫。
【発明の詳細な説明】
【技術分野】
【０００１】
この発明は、スライド式のドアを備えた保冷庫において、１枚のドアに複数の開閉ハンドルを設けたものに関する。
【背景技術】
【０００２】
スライド式のドアを備えた保冷庫（収納庫）の一例として、特許文献１に開示されているタイプのものがある。この保冷庫（収納庫）は、保冷庫本体の前面に２枚のドアを備えており、このドアで保冷庫本体の開口部を気密に閉塞する。各ドアの表面の開扉方向端部には、開閉ハンドルが一つ設けられている（同文献の図１を参照）。
【０００３】
このドア１及び周辺部材の構成と、その開扉操作を、本願発明に係る図５から図７を用いて説明する。保冷庫本体２の開口部３の上下端には、図５に分解斜視図、図６（ａ）及び（ｂ）に底面図及び平面図を示すように、上部主ガイド溝９、下部主ガイド溝１０、この上部及び下部主ガイド溝９、１０から保冷庫本体２の開口部３に向かって連通する上部副ガイド溝１１、下部副ガイド溝１２がそれぞれ形成されている。上部及び下部副ガイド溝１１、１２は、各ドア１の閉扉位置において、開扉方向端部側及び閉扉方向端部側に１箇所ずつ形成され、それらのうち閉扉方向端部側に形成されたものについては、その上部及び下部副ガイド溝１１、１２の終端から上部又は下部主ガイド溝９、１０に向かう傾斜が設けられている。
【０００４】
ドア１の上端部には、上部主ガイド溝９及び上部副ガイド溝１１によってガイドされるガイドローラ１３が、ドア１の下端部には、下部主ガイド溝１０及び下部副ガイド溝１２内を走行するキャスタ１４が、それぞれ設けられている。
【０００５】
この保冷庫の２枚のドア１、１は、閉扉状態において、同一平面上に並ぶように位置している（図７（ａ）を参照）。このとき、ガイドローラ１３は上部副ガイド溝１１に、キャスタ１４は下部副ガイド溝１２にそれぞれ退去している。このドア１を開扉するには、まず、そのドア１の開閉ハンドル５ａ（５）に手を差し入れて、この開閉ハンドル５ａ（５）を手前側に引き、ドア１の開扉方向端部側を開放する。すると、そのドア１の開扉方向端部側に設けられたガイドローラ１３及びキャスタ１４が、上部及び下部副ガイド溝１１、１２から上部及び下部主ガイド溝９、１０に移動する（図７（ｂ）を参照）。開閉ハンドル５ａ（５）がドアの開扉方向端部に設けられているのは、開扉操作において、この開扉方向端部側の開放を容易に行い得るようにするためである。
【０００６】
次に、この開閉ハンドル５ａ（５）を開扉方向に引く。すると、そのドアの閉扉方向端部側に設けられたガイドローラ１３及びキャスタ１４が、上部及び下部副ガイド溝１１、１２から上部及び下部主ガイド溝９、１０に移動する。閉扉方向端部側に形成された上部及び下部副ガイド溝１１、１２には、上記のように傾斜が設けられているため、この閉扉方向端部側に設けられたガイドローラ１３及びキャスタ１４を、スムーズに上部及び下部主ガイド溝９、１０に移動させることができる。
【０００７】
さらに、この開閉ハンドル５ａ（５）を開扉方向に引くと、ガイドローラ１３が上部主ガイド溝９をガイドされるとともに、キャスタ１４が下部主ガイド溝１０を走行して、このドア１が開扉方向にスライドし、最終的に完全に開扉した状態となる（図７（ｃ）を参照）。なお、この構成においては、２枚のドア１、１は上部及び下部主ガイド溝９、１０を共有しているので、２枚のドア１、１を同時に開扉することはできない。
【０００８】
このドア１の閉扉操作は、上記の開扉操作の逆操作を行えばよい。すなわち、開扉操作に用いたのと同じ開閉ハンドル５ａ（５）に手を差し入れて、この開閉ハンドル５ａ（５）を閉扉方向に引く。すると、ガイドローラ１３が上部主ガイド溝９をガイドされるとともに、キャスタ１４が下部主ガイド溝１０を走行して、このドア１が閉扉方向にスライドする。このドア１が閉扉方向の終端部近くまでスライドすると、そのドア１の閉扉方向端部側に設けられたガイドローラ１３及びキャスタ１４が、上部及び下部主ガイド溝９、１０から上部及び下部副ガイド溝１１、１２に退去する。この場合も、開扉の際と同様に、閉扉方向端部側に形成された上部及び下部副ガイド溝１１、１２に設けられた傾斜により、この閉扉方向端部側に設けられたガイドローラ１３及びキャスタ１４を、スムーズに上部及び下部副ガイド溝１１、１２に退去させることができる。さらに、そのドア１の開扉方向端部側を少し押し込むと、そのドア１の開扉方向端部側に設けられたガイドローラ１３及びキャスタ１４が、上部及び下部主ガイド溝９、１０から上部及び下部副ガイド溝１１、１２に退去する。この一連の操作によって、ドア１を閉扉状態とすることができる。
【先行技術文献】
【特許文献】
【０００９】
【特許文献１】特許第４２０４５３２号公報
【発明の概要】
【発明が解決しようとする課題】
【００１０】
特許文献１に係る保冷庫（収納庫）は、開扉後に再び閉扉する際に、その閉扉操作に手間取ることがある。すなわち、使用者は開扉しようとするドア１の前に立ち、そのドア１に設けられた開閉ハンドル５ａ（５）に手を差し入れて、上記において説明した開扉操作によってそのドア１を開扉する。この開閉ハンドル５ａ（５）は、上記において説明したように開扉方向端部側に設けられていることが多く、ドア１を開扉した状態では、保冷庫本体２の開口部３の前（すなわち、ドア１から見て閉扉方向側）で作業を行う使用者から容易に手が届かないことがある。この場合、使用者は、開閉ハンドル５ａ（５）の操作のためにドア１の開扉方向端部まで移動しなければならず、非常に面倒であるとともに、作業効率を損なうことがある。この閉扉操作の際に、開閉ハンドル５ａ（５）に使用者の手が届きにくいという問題は、一般的な家庭用の小型保冷庫と比較してドア１の大きさが大きい業務用の保冷庫で一層顕著になる。
【００１１】
そこで、この発明は、保冷庫のスライド式のドアの閉扉操作を容易に行うことを課題とする。
【課題を解決するための手段】
【００１２】
上記の課題を解決するため、この発明は、スライド式のドアを備えた保冷庫において、前記ドアの開閉方向の異なる複数の位置に開閉ハンドルを設けて、その保冷庫を構成した。
【００１３】
このように複数の位置に開閉ハンドルを設けることにより、開扉操作の際には最も開扉方向側にある開閉ハンドルを用いる一方で、閉扉操作の際には開閉操作で用いた開閉ハンドルよりも閉扉方向側にある開閉ハンドルを用いる、というように開閉ハンドルを使い分けることができる。そのようにすれば、保冷庫本体の開口部の前に位置する使用者の手が、この閉扉方向側に設けた開閉ハンドルに届きやすくなって、閉扉操作の際に使用者が開閉ハンドルの位置まで移動しなければならない場合と比較して作業性が向上する。
【００１４】
前記の構成においては、前記異なる複数の位置が、前記ドアの開扉方向端部と閉扉方向端部の２箇所とするのが好ましい。
【００１５】
開扉方向端部に設けることにより、開扉の際に、ドアの開扉方向端部を容易に開放することができるため、その開扉操作をスムーズに行うことができる。また、ドアを完全に開扉状態とした場合、保冷庫本体の開口部の前に位置する使用者から見て、そのドアの閉扉方向端部が最も近い状態となっている。そこで、この閉扉方向端部に開閉ハンドルを設けることにより、使用者の手がこの開閉ハンドルに届きやすくなって、閉扉操作を一層スムーズに行うことができる。ここでいう開扉方向端部又は閉扉方向端部における「端部」は、ドアの開扉方向又は閉扉方向の「エッジに近い部分」という狭い領域に限定するものではない。例えば、ドアに２箇所の開閉ハンドルを設ける場合において、そのドアを開扉側と閉扉側に大きく２分割し、一方の開閉ハンドルを２分割したうちの開扉側のいずれかの位置、他方の開閉ハンドルを２分割したうちの閉扉側のいずれかの位置、というように広い領域を含む。
【００１６】
また、前記ドアの開扉方向端部と閉扉方向端部の２箇所に開閉ハンドルを設ける構成においては、前記開閉ハンドルが、前記ドアをその厚み方向の内側にくり抜いて形成された凹部と、この凹部の開口縁に設けられる指掛け部と、を備え、前記開扉方向端部側に設けた開閉ハンドルが、前記凹部に対して前記指掛け部がドアの開扉方向となるように構成された開扉用ハンドルであり、前記閉扉方向端部側に設けた開閉ハンドルが、前記凹部に対して前記指掛け部がドアの閉扉方向となるように構成された閉扉用ハンドルとするのが好ましい。
【００１７】
開扉用ハンドルは、上記の開扉操作の手順において説明したように、ドアの開扉側を開放状態とするのに適しており、閉扉用ハンドルは、ドアが完全に開扉した状態において、保冷庫本体の開口部に位置する使用者から最も近い位置にあり閉扉操作に適している。前記ドアの開閉の際には、使用者が、この開閉ハンドルに設けられた指掛け部に指先を引っ掛けて、このドアをスライドさせる。そして、このとき、ドアのスライドする方向に指掛け部を設けることにより、使用者の指先がこの指掛け部にしっかりと引っ掛かって、ドアの開閉操作をスムーズに行うことができる。
【００１８】
また、スライド式のドアを備える保冷庫においては、複数枚のドアが重なり合うようにスライドするため、ドア同士の間の隙間が小さいことが多い。このため、開閉ハンドルがドアの表面から突出していると、ドアの開閉の際に、一方のドアの開閉ハンドルと他方のドアの裏面側が干渉する恐れがある。そこで、上記のように開閉ハンドルを凹部状に構成し、このドアの表面からの突出量を極力小さくすると、そのような干渉が防止され、ドアの開閉をスムーズに行うことができる。
【発明の効果】
【００１９】
この発明は、スライド式のドアを備えた保冷庫において、１枚のドアに複数の開閉ハンドルを設けた構成を採用した。このように複数の開閉ハンドルを設けることにより、開扉操作の際には最も開扉方向側にある開閉ハンドルを操作する一方で、閉扉操作の際には最も閉扉方向にある開閉ハンドルを操作するというように、複数の開閉ハンドルを使い分けることができる。このため、開扉方向側に１箇所のみ開閉ハンドルを設けた場合と比較して、使用者の手が開閉ハンドルに届きやすくなって、閉扉操作の際に使用者が開閉ハンドルの位置まで移動する必要がなく、作業性を向上することができる。
【図面の簡単な説明】
【００２０】
【図１】本願発明に係る保冷庫を示す斜視図
【図２】図１に示す保冷庫のドアを開扉した状態を示す正面図
【図３】本願発明に係る保冷庫のドアを示し、（ａ）は正面図、（ｂ）は側面図、（ｃ）は平面図
【図４】本願発明に係る保冷庫のドアの開閉ハンドルを示し、（ａ）は正面図、（ｂ）は同図（ａ）中のａ−ａ線に沿う断面図
【図５】本願発明に係る保冷庫のドア、上部及び下部主ガイド溝、及び上部及び下部副ガイド溝を示す分解斜視図
【図６】本願発明に係る保冷庫のガイド溝の平面図を示し、（ａ）は上部主ガイド溝及び上部副ガイド溝、（ｂ）は下部主ガイド溝及び下部副ガイド溝
【図７】本願発明に係る保冷庫のドアの開扉操作を示し、（ａ）はドアを閉扉した状態、（ｂ）はドアの開扉方向端部側を開放した状態、（ｃ）はドアを開扉した状態
【発明を実施するための形態】
【００２１】
本願発明に係る保冷庫の斜視図及び正面図を図１及び図２に示す。この保冷庫は、保冷庫本体の前面に２枚のスライド式のドア１を備えており、このドア１で、保冷庫本体２の開口部３を気密に閉塞する。２枚のドア１のうち一方のドア１を、他方のドア１の側にスライドさせることにより開口部３が開口して、食品等の物品を保冷庫本体２内に設けた収納棚４に収納することができる。
【００２２】
図３にこのドア１（図１に示す保冷庫の２枚のドア１、１のうち右側のドア）の（ａ）正面図、（ｂ）側面図、及び（ｃ）平面図をそれぞれ示す。このドア１の表面には、開扉方向端部（左側）と閉扉方向端部（右側）に開閉ハンドル５が一つずつ設けられている。このドア１に設けた２箇所の開閉ハンドル５、５のうち、左側に設けられた開閉ハンドル５は開扉用（以下、適宜開扉用ハンドル５ａという。）、右側に設けられた開閉ハンドル５は閉扉用（以下、適宜閉扉用ハンドル５ｂという。）となる。これは、開扉用ハンドル５ａは、以下において説明する開扉操作において、ドア１の開扉側を開放状態とするのに適しており、閉扉用ハンドル５ｂは、ドア１が完全に開扉した状態において、保冷庫本体２の開口部３に位置する使用者から最も近い位置にあり閉扉操作に適しているからである。左側のドア１は、開扉及び閉扉方向が右側のドア１とは逆になるため、開扉用ハンドル５ａと閉扉用ハンドル５ｂの位置は、左右反対となる（図１を参照）。
【００２３】
図４に開扉用ハンドル５ａの（ａ）正面図、（ｂ）同図（ａ）のａ−ａ線に沿う断面図をそれぞれ示す。この開扉用ハンドル５ａは、ドア１をその厚み方向の内側にくり抜いて形成された凹部６と、この凹部６の開口縁に設けられる指掛け部７とを備え、凹部６に対して指掛け部７がドア１の開扉方向となるように構成されている。この凹部６の内面には、樹脂材等が被覆されている。また、指掛け部７の表面側にはカバー部材８が取り付けられている。ドア１を開扉する際には、使用者が、この開扉用ハンドル５ａに設けられた指掛け部７に指先を引っ掛けて、このドア１を開扉方向にスライドさせる。このとき、使用者の指先がこの指掛け部７にしっかりと引っ掛かるため、ドア１の開扉操作をスムーズに行うことができる。閉扉用ハンドル５ｂの構成も、この開扉用ハンドル５ａの構成と同じであるが、凹部６に対して指掛け部７がドア１の閉扉方向となる点のみが異なっている。
【００２４】
スライド式のドア１を備える保冷庫においては、複数枚のドア１が重なり合うようにスライドするため、ドア１同士の間にほとんど隙間がないことが多い。このため、開閉ハンドル５がドア１の表面から突出していると、ドア１の開閉の際に、一方のドア１の開閉ハンドル５と他方のドア１の裏面側が干渉する恐れがある。そこで、上記のように開閉ハンドル５を凹部状に構成し、このドア１の表面からの突出量を極力小さくすることによって、この開閉ハンドル５とドア１との間の干渉が防止され、ドア１の開閉をスムーズに行うことができる。
【００２５】
このドア１及び周辺部材の構成と、その開扉操作を、図５から図７を用いて説明する。保冷庫本体２の開口部３の上下端には、図５に分解斜視図、図６（ａ）及び（ｂ）に底面図及び平面図を示すように、上部主ガイド溝９、下部主ガイド溝１０、この上部及び下部主ガイド溝９、１０から保冷庫本体２の開口部３に向かって連通する上部副ガイド溝１１、下部副ガイド溝１２がそれぞれ形成されている。上部及び下部副ガイド溝１１、１２は、各ドア１の閉扉位置において、開扉方向端部側及び閉扉方向端部側に１箇所ずつ形成され、それらのうち閉扉方向端部側に形成されたものについては、その上部及び下部副ガイド溝１１、１２の終端から上部又は下部主ガイド溝９、１０に向かう傾斜が設けられている。
【００２６】
ドア１の上端部には、上部主ガイド溝９及び上部副ガイド溝１１によってガイドされるガイドローラ１３が、ドア１の下端部には、下部主ガイド溝１０及び下部副ガイド溝１２内を走行するキャスタ１４が、それぞれ設けられている。
【００２７】
この保冷庫の２枚のドア１、１は、閉扉状態において、同一平面上に並ぶように位置している（図７（ａ）を参照）。このとき、ガイドローラ１３は上部副ガイド溝１１に、キャスタ１４は下部副ガイド溝１２にそれぞれ退去している。このドア１を開扉するには、まず、そのドア１の開扉用ハンドル５ａに手を差し入れて、この開扉用ハンドル５ａを手前側に引き、ドア１の開扉方向端部側を開放する。すると、そのドア１の開扉方向端部側に設けられたガイドローラ１３及びキャスタ１４が、上部及び下部副ガイド溝１１、１２から上部及び下部主ガイド溝９、１０に移動する（図７（ｂ）を参照）。この上部副ガイド溝１１と連通する上部主ガイド溝９の壁面部には緩衝部材１５が設けられ、この緩衝部材１５により、ガイドローラ１３が上部副ガイド溝１１から上部主ガイド溝９に移動して、この上部主ガイド溝９の壁面に当接した際の衝撃を緩和している。開扉用ハンドル５ａがドア１の開扉方向端部に設けられているのは、開扉操作において、この開扉方向端部側の開放を容易に行い得るようにするためである。
【００２８】
次に、この開扉用ハンドル５ａを開扉方向に引く。すると、そのドア１の閉扉方向端部側に設けられたガイドローラ１３及びキャスタ１４が、上部及び下部副ガイド溝１１、１２から上部及び下部主ガイド溝９、１０に移動する。閉扉方向端部側に形成された上部及び下部副ガイド溝１１、１２には、上記のように傾斜が設けられているため、この閉扉方向端部側に設けられたガイドローラ１３及びキャスタ１４を、スムーズに上部及び下部主ガイド溝９、１０に移動させることができる。
【００２９】
さらに、この開扉用ハンドル５ａを開扉方向に引くと、ガイドローラ１３が上部主ガイド溝９をガイドされるとともに、キャスタ１４が下部主ガイド溝１０を走行して、このドア１が開扉方向にスライドし、最終的に完全に開扉した状態となる（図７（ｃ）を参照）。なお、この構成によると、２枚のドア１、１は上部及び下部主ガイド溝９、１０を共有しているので、２枚のドア１、１を同時に開扉することはできない。
【００３０】
このドア１の閉扉操作は、上記の開扉操作の逆操作を行えばよい。この閉扉操作においては、閉扉方向端部側に設けられた閉扉用ハンドル５ｂに手を差し入れて、この閉扉用ハンドル５ｂを閉扉方向に引く。すると、ガイドローラ１３が上部主ガイド溝９をガイドされるとともに、キャスタ１４が下部主ガイド溝１０を走行して、このドア１が閉扉方向にスライドする。このドア１が閉扉方向の終端部近くまでスライドすると、そのドア１の閉扉方向端部側に設けられたガイドローラ１３及びキャスタ１４が、上部及び下部主ガイド溝９、１０から上部及び下部副ガイド溝１１、１２に退去する。この場合も、開扉の際と同様に、閉扉方向端部側に形成された上部及び下部副ガイド溝１１、１２に設けられた傾斜により、この閉扉方向端部側に設けられたガイドローラ１３及びキャスタ１４を、スムーズに上部及び下部副ガイド溝１１、１２に退去させることができる。さらに、そのドア１の開扉方向端部側を少し押し込むと、そのドア１の開扉方向端部側に設けられたガイドローラ１３及びキャスタ１４が、上部及び下部主ガイド溝９、１０から上部及び下部副ガイド溝１１、１２に退去する。この一連の操作によって、ドア１を閉扉状態とすることができる。
【００３１】
本願発明の構成のように、スライド式のドア１を備えた保冷庫のそのドア１に複数の開閉ハンドル５を設けることにより、開扉操作の際には最も開扉方向側にある開閉ハンドル５を用いる一方で、閉扉操作の際には開閉操作で用いた開閉ハンドル５よりも閉扉方向側にある開閉ハンドル５を用いるようにすることができる。そのようにすれば、保冷庫本体の開口部３の前に位置する使用者の手が、この閉扉方向側にある開閉ハンドル５に届きやすくなって、閉扉操作の際に使用者が開閉ハンドル５の位置まで移動しなければならない場合と比較して作業性を向上することができる。
【００３２】
上記の実施形態においては、開閉ハンドル５をドアの開閉方向端部に設けた態様を示したが、この開閉ハンドル５の位置はこれに限定されない。例えば、開扉用ハンドル５ａの位置を図３に示す位置としつつ、閉扉用ハンドル５ｂの位置を同図に示す位置よりも、さらに開扉用ハンドル５ａに近い位置に変更することもできる。また、閉扉用ハンドル５ｂを２箇所以上にすることもできる。このようにすれば、使用者が自分の立ち位置に応じて最も使用しやすい閉扉用ハンドル５ｂを自由に選択することができ、閉扉操作を一層スムーズに行うことができるためである。また、開閉ハンドル５の形状は当然ながら図４の形状に限定されず、左右対称形状のものを採用することもできる。
【００３３】
上記の実施形態においては、２枚のドア１、１を備えた保冷庫について説明したが、３枚以上のドア１を備えた保冷庫についても、各ドア１に複数の開閉ハンドル５を設けることで、保冷庫のスライド式のドア１の閉扉操作を容易に行う、という本願発明の課題を解決することができる。
【符号の説明】
【００３４】
１  ドア
２  保冷庫本体
３  開口部
４  収納棚
５  開閉ハンドル
５ａ  開扉用ハンドル
５ｂ  閉扉用ハンドル
６  凹部
７  手掛け部
８  カバー部材
９  上部主ガイド溝
１０  下部主ガイド溝
１１  上部副ガイド溝
１２  下部副ガイド溝
１３  ガイドローラ
１４  キャスタ
１５  緩衝部材
【図１】
2014152989.tif 000003
【図２】
2014152989.tif 000004
【図３】
2014152989.tif 000005
【図４】
2014152989.tif 000006
【図５】
2014152989.tif 000007
【図６】
2014152989.tif 000008
【図７】
2014152989.tif 000009